(57)【要約】【課題】自動車の荷室などに積載された荷物を固定する物品固定装置において、荷物のサイズや形態がいかなるときも、その荷物を容易に固定できるようにする。【解決手段】細長く形成された本体ケース４と、その内部の貫通孔５内に挿入された可撓性のあるロープなどから成る細長部材６を有し、本体ケース４に形成された開口７から細長部材６の一部を引き出し、その引き出した部分に、荷物に掛け渡した固縛ロープに固定された係止部材を引っ掛けることにより、荷物を固定する。物品固定装置３の非使用時には、開口７から引き出した細長部材６の部分１０を本体ケース４内に収めることができるので、物品固定装置３が邪魔となることはない。【選択図】　図２
2004106783.tif 000002
【特許請求の範囲】
【請求項１】
複数の開口が形成された本体ケースと、該本体ケース内に挿入された可撓性を有する細長部材とを具備し、物品を固定するための固定部材を前記細長部材に引っ掛けることができるように、該細長部材の一部を前記各開口から引き出し可能に構成したことを特徴とする物品固定装置。
【請求項２】
前記開口から引き出せる細長部材の長さを変えることができるように、前記本体ケース内に挿入される細長部材の長さを調整する長さ調整手段を設けた請求項１に記載の物品固定装置。
【発明の詳細な説明】
【０００１】
【発明の属する技術分野】
本発明は、自動車の荷室などに載置された物品を固定する物品固定装置に関するものである。
【０００２】
【従来の技術】
自動車のトランクルームやデッキルームなどの荷室に荷物を積載して運搬する際、その荷物がずれ動くことを防止するため、当該荷物を物品固定装置によって固定しておくことは従来より一般に行われている。従来の物品固定装置は、例えばデッキルームのフロアに取り付けられた複数のフックを有し、該フロア上に載置した荷物に、例えば各端部に係止部材が固定された固縛ロープから成る固定部材を掛け渡し、その係止部材を上記フックに係合してフロア上の荷物を固定するように構成されている。
【０００３】
この形式の物品固定装置も、荷物の大きさやその形態に応じて、当該荷物を最も安定した状態で固定できるフックを選択し、そのフックに係止部材を係合して荷物を固定することができる。ところが、フックの数は限られているので、その都度、荷物の大きさや形態に応じて最も適切なフックを選び、そのフックに係止部材を係合する作業は容易でなく、場合によっては、その荷物を安定した状態で固定することが困難なこともある。
【０００４】
フックの数を増大し、多数のフックをフロアに設ければ、フックの選択の余地が拡大し、上記欠点を回避することができるが、フロア面から突出するフックを多数設けると、これが邪魔となるだけでなく、デッキルーム内の美観が損なわれる欠点を免れない。
【０００５】
また、ガイドレールと、このガイドレールに沿って移動可能なフックとを有する物品固定装置も公知である。この物品固定装置の場合も、荷物に掛け渡した固縛ロープに固定された係止部材をフックに係合して荷物を固定するものであるが、その荷物の大きさや形態に応じて、フックをガイドレールに沿って移動させることができるので、各種形態の荷物を安定した状態で固定することが可能である。ところが、この物品固定装置は、所望する位置に動かしたフックをガイドレールに対して固定しなければならないため、その固定作業が煩雑となる欠点を免れない。しかも、ガイドレールが直線状でなく、湾曲して延びている場合には、そのガイドレールに沿ってフックを円滑にスライドさせることが容易でなく、作業に手間がかかる欠点も有している。
【０００６】
上述した欠点は、自動車のデッキルーム以外の個所に設けられた物品固定装置にも言えることである。
【発明が解決しようとする課題】
本発明の目的は、上記従来の欠点を除去し、物品を容易に安定した状態で固定することのできる物品固定装置を提供することにある。
【０００７】
【課題を解決するための手段】
本発明は、上記目的を達成するため、複数の開口が形成された本体ケースと、該本体ケース内に挿入された可撓性を有する細長部材とを具備し、物品を固定するための固定部材を前記細長部材に引っ掛けることができるように、該細長部材の一部を前記各開口から引き出し可能に構成したことを特徴とする物品固定装置を提案する（請求項１）。
【０００８】
その際、前記開口から引き出せる細長部材の長さを変えることができるように、前記本体ケース内に挿入される細長部材の長さを調整する長さ調整手段を設けると有利である（請求項２）。
【０００９】
【発明の実施の形態】
以下、本発明を自動車の物品固定装置に適用した実施形態例を図面に従って詳細に説明する。
【００１０】
図１は、自動車の一例であるステーションワゴン車のデッキルームを示す斜視図であり、車室内に配置されたリヤシート１よりも後方の空間領域がデッキルームとなっている。矢印Ｘは自動車の前進方向を示し、矢印Ｗは車体の幅方向を示している。
【００１１】
デッキルームのフロア２上の両側には、一対の物品固定装置３が固定されており、これらの物品固定装置３の構成は実質的に同一である。図２はこの物品固定装置３の斜視図であり、図３はその縦断面図である。ここに示した物品固定装置３は細長く延びた本体ケース４と、この本体ケース４の長手方向全長に亘って形成された貫通孔５内に摺動可能に挿入されている細長部材６とを有している。
【００１２】
本体ケース４は金属又は硬質樹脂などの高剛性材料により構成され、その長手方向に複数の開口７が形成され、その各開口７を通して、貫通孔５が本体ケース４の外部に通じている。細長部材６は、例えば金属又は樹脂製の細い繊維を編み上げて成るロープ、ワイヤー、ベルト又はひもなどの強度の大なる可撓性部材から構成されている。本体ケース４の長手方向一端側と他端側から突出した可撓性部材６の部分には、本体ケース４の貫通孔５よりも大径なストッパ８，９がそれぞれ固定され、これにより細長部材６が本体ケース４から抜け出ることが防止される。両ストッパ８，９の間の細長部材６の長さは、本体ケース４の長さよりも多少長くなっている。また本体ケース４はフロア２のパネルに、例えば図示していないボルト又は溶接などによって不動に固定されている。
【００１３】
図２及び図３から判るように、細長部材６は、本体ケース４の各開口７の部分を通して延び、両ストッパ８，９の間の細長部材６の長さは本体ケース４の長さよりも長くなっており、しかも、この細長部材６は可撓性を有しているので、図４の（ａ），（ｂ），（ｃ）に示すように、いずれかの開口７に指を入れ、細長部材６を指に引っ掛け、これをつまみ上げることにより、図１乃至図３に符号１０を付して示すように、細長部材６の一部を開口７から引き出すことができる。
【００１４】
図１に示すように、デッキルームのフロア２上に載置された荷物１１を固定するには、例えば可撓性の固縛ロープ１２とその長手方向各端部の固定された鉤状の係止部材１３とを有する固定部材１４を荷物１１に掛け渡し、その各係止部材１３を、両物品固定装置３の１又は複数の開口７から引き出した細長部材６の部分１０に引っ掛ければよい。このとき、細長部材６に引張力が加えられ、各ストッパ８，９が本体ケース４の一端側と他端側にそれぞれ圧接するので、細長部材６が本体ケース４に対して固定され、物品１１が固定部材１４によって確実に保持される。このように物品固定装置３は、荷物１１などの物品を固定するための固定部材１４を細長部材６に引っ掛けることができるように、細長部材６の一部を各開口７から引き出し可能に構成され、本体ケース４に対して固定された細長部材６に固定部材１４を引っ掛けて、荷物１１を固定部材１４によって固定保持することができる。
【００１５】
その際、いずれの開口７からも細長部材６を引き出してその細長部材部分１０に係止部材１３を引っ掛けることができるので、荷物１１の大きさや形態に応じて、その荷物１１を最も安定した状態で固定できる開口７を選んで、その開口７から細長部材６を引き出し、その荷物１１を強固に固定することができる。
【００１６】
上述のようにいずれの形態と大きさの荷物も、物品固定装置３によって容易に安定した状態で固定することができる。しかも、物品固定装置３は、複数のフックが露出した従来の物品固定装置に比べ、その外観に優れているので、デッキルーム内の美観が損なわれることもない。また、物品固定装置３の非使用時には、開口７から引き出した細長部材６の部分１０を本体ケース４内に収めることができる。従って、本体ケース４の上面を、フロア２の上面と面一状態にすることにより、荷物をデッキルームに出し入れする際、物品固定装置３が邪魔となることはない。のみならず、荷物をデッキルーム内に出し入れするとき、その荷物を本体ケース４の上面にて滑らせることもでき、これによって荷物の出し入れを容易に行うことができる。両物品固定装置３の本体ケース４を荷物の出し入れ時に、当該荷物を滑らせるスライディングレールとして用いることもできるのである。また、既に市場に出回っている自動車に対しても、ユーザの要望に応じて、上述した物品固定装置３を装着することが可能である。
【００１７】
図１乃至図３に示した物品固定装置３は直線状に延びているが、その形態は適宜選択することができる。図５はデッキルームのフロア２の縁に沿って湾曲した状態で配置された物品固定装置３を示している。さらに、図６はデッキルームの後部を区画するバックドア１５用の開口部の下方の車体部分に緩やかに湾曲した物品固定装置３を固定した例を示している。このように湾曲した物品固定装置も、前述したところと全く同様にして使用することができる。その際、本体ケース４が湾曲していても、その内部に配置された細長部材６は可撓性を有しているので、支障なくその細長部材６を本体ケース４の各開口７から引き出すことができる。
【００１８】
ところで、図１乃至図６に示した物品固定装置３においては、いずれかの開口７から細長部材６を引き出したとき、その細長部材６に固定されたストッパ８，９が本体ケース４の長手方向一端側と他端側に当接した状態となれば、これ以上、他の開口から細長部材６を引き出すことはできない。そこで、開口７から引き出せる細長部材６の長さを変えることができるように、本体ケース４内に挿入される細長部材６の長さを調整する長さ調整手段を設けると有利である。図７乃至図９はかかる長さ調整手段を有する物品固定装置３の具体例を示しており、以下にこの物品固定装置３の構成と作用を説明する。
【００１９】
本体ケース４の長手方向一端側には筒状の保持部材１６が着脱可能に固定され、この保持部材１６に、つまみ部材１７が細長部材６の長手方向に移動可能であって、該保持部材１６から脱落しないように保持されている。つまみ部材１７と保持部材１６との間には圧縮ばね１８が配置され、これによってつまみ部材１７は本体ケース４の側へ向けて付勢されている。また、つまみ部材１７に隣接して、複数の爪部材１９が配置され、これらの爪部材１９は、その先端の爪部２０が細長部材６に対して接離する向きに回動可能に保持部材１６又は本体ケース４に支持され、図示していないばね又は爪部材自体の弾性によって、爪部２０が細長部材６から離間する向きに付勢されている。図７乃至図９に示した細長部材６の長手方向一端側と他端側にも、図３に示したようにストッパ８，９がそれぞれ固定されているが、そのストッパ８，９の間の細長部材６の長さは、図１乃至図６に示した例の場合よりも長くなっている。図７乃至図９に示した物品固定装置３の他の構成は先に説明した物品固定装置と変わりはない。
【００２０】
通常は圧縮ばね１８の作用によって、つまみ部材１７は本体ケース４に最も接近した図８に示す位置に保持されている。このとき、爪部材１９はつまみ部材１７によって押圧され、その爪部２０が細長部材６に食い込むように圧接する。これによって細長部材６は本体ケース４に対して固定される。この状態で、図１乃至図３に示したように、開口７から細長部材６の一部を引き出し、ここに固定部材１４の係止部材１３を係合して、荷物１１を固定保持することができる。
【００２１】
ここで、つまみ部材１７をつかんで、これを図８に矢印Ａで示す方向に引くと、図９に示すように爪部材１９はつまみ部材１７からの拘束を解かれ、その爪部２０が細長部材６から離れる。これにより細長部材６をその長手方向に自由にスライドさせ、本体ケース４内に挿入される細長部材６の長さを調整することができる。その調整後、つまみ部材１７から手を離せば、該つまみ部材１７は圧縮ばね１８の作用で再び図８に示した位置に戻り、これによって爪部材１９が細長部材６を拘束し、当該細長部材６が固定される。この状態で、細長部材６に固定部材１４を係合して、物品１１を固定することができる。
【００２２】
上述のようにして、１又は複数の開口７から引き出せる細長部材６の全長さを変えることができるので、１つの開口７から細長部材６を大きく引き出し、或いは複数の開口７から細長部材の部分１０をそれぞれ引き出すことができ、荷物のサイズや形態に合わせて、その引き出した細長部材部分に係止部材１３を引っ掛けて荷物を安定状態に固定することができる。物品固定装置３の非使用時には、全ての開口７から細長部材が突出することがないように、本体ケース４内に挿入される細長部材６の長さを調整すれば、該細長部材６が邪魔となることはない。
【００２３】
上述したいずれの例の場合も、開口７から細長部材６の部分１０を引き出し、ここに固定部材１４を係合して荷物１１を固定したとき、細長部材６は本体ケース４に対して固定される。
【００２４】
上述した具体例では、固縛ロープ１２とこれに固定された係止部材１３とから成る固定部材１４を示したが、他の適宜な形態の固定部材を用いることもできる。例えば荷物の上を覆うように掛け渡されるネットとそのネットに取り付けられた係止部材とから成る固定部材などを用いることができる。
【００２５】
また、本発明に係る物品固定装置は、デッキルーム以外の各種の個所に設置して使用することもできる。例えば自動車のトランクルーム、トラックの荷台などの自動車の各部に設けることができる。このように、本発明は自動車の物品固定装置に有利に適用できるが、そのほか、本発明に係る物品固定装置を鉄道車両、船舶、航空機内に設け、さらにパレットの如き物品載置台、コンテナ内、或いは倉庫などに設けて、各種の物品を固定することもできる。
【００２６】
【発明の効果】
本発明に係る物品固定装置によれば、各種形態ないしはサイズの物品を簡単に固定することができる。
【図面の簡単な説明】
【図１】自動車のデッキルーム内に設けられた物品固定装置を示す斜視図である。
【図２】物品固定装置の拡大斜視図である。
【図３】物品固定装置の縦断面図である。
【図４】開口を通して細長部材を引き出すときの様子を示す横断面図である。
【図５】デッキルーム内のフロアの縁に沿って設けられた物品固定装置を示す概略平面図である。
【図６】バックドア用の開口部の下方の車体部分に設けられた物品固定装置を示す斜視図である。
【図７】長さ調整手段を有する物品固定装置の斜視図である。
【図８】図７に示した物品固定装置の縦断面図であって、細長部材が固定された状態を示す図である。
【図９】図７に示した物品固定装置の縦断面図であって、細長部材の拘束を解除したときの様子を示す図である。
【符号の説明】
３　物品固定装置
４　本体ケース
６　細長部材
７　開口
１４　固定部材
【図１】
2004106783.tif 000003
【図２】
2004106783.tif 000004
【図３】
2004106783.tif 000005
【図４】
2004106783.tif 000006
【図５】
2004106783.tif 000007
【図６】
2004106783.tif 000008
【図７】
2004106783.tif 000009
【図８】
2004106783.tif 000010
【図９】
2004106783.tif 000011